(57)【要約】      （修正有）【課題】踵高で生じる浮き指と共に膝痛や転倒等の改善が目的で、ハイトゥ履物を提供する。【解決手段】ハイヒールと全く逆にハイトゥの踏み面勾配にして、さらに爪先１・指先部位の上げ裏面に限定して、斜面カットした形状で、障害物のハードリング達成と、浮き指、膝痛等の改善を特徴とする躓き転倒、膝痛等を予防するために底部を改良した履物。【選択図】図２
2020062360.tif 000002
【特許請求の範囲】
【請求項１】
ハイヒールと全く逆にハイトゥの踏み面勾配にして、さらに爪先・指先部位の上げ裏面に限定して、斜面カットした形状で、障害物のハードリング達成と、浮き指、膝痛等の改善を特徴とする躓き転倒、膝痛等を予防するために底部を改良した履物。
【発明の詳細な説明】
【技術分野】
【０００１】  本発明は、躓き転倒や、膝痛等の回避を目的に、ハイヒール（ｈｉｇｈ  ｈｅｅｌ）よりハイトゥ（ｈｉｇｈ  ｔｏｅ）に大転換致し、改善をもくろみ、履物の先端の指先部位の上裏面を、大幅に斜面カットして、歩行時ハードルの衝撃力拡散で安全歩行を企て、浮き指が起因とする膝痛・頭痛・肩こり・浮き指等の改善を目的に発明した、ハイトゥ（ｈｉｇｈ  ｔｏｅ）の履物である。
【背景技術】
【０００２】  今日の履物は、男女共にハイヒール踵高の時代で、爪先、指先は、常に下向きに態勢を押えられ、負荷、負担を生じ、指先の変形が増加致し、その悪影響は身体の各部位に支障をきたし躓きや転倒で大怪我、多発の防止に貢献すべく、発明したのがハイトゥの履物、コロバナイス「転ばナイス」である。
すなわち、ハイヒールは美を求める履物だが、ハイトゥ「コロバナイス」は、健康と転倒防止を求める発明である。
バレリーナの様な美しい足を横より眺めると、急なスベリ台を想わせる様に、体重は急降下致し、踵は割箸１本で支える様な形の無理な姿に驚きを隠せない。
男性も踵高は、当然な今日、浮き指と云う、指先の反り返りの形状が増大致し、正常な指の人が０人に対して、浮き指の人は３７人も膝痛に苦しみ、他に頭痛は、５倍、肩こりは、６．５倍、腰痛は、４倍にのぼる。
浮き指のダメージを避けてハイヒールよりハイトゥへの転換期に気付き、履物の先端部をスキーボード、スノーボードや舳先の様に、楽にハードリングする自然な形状へと転換致し、ハイヒールからハイトゥへと高齢化社会にも適応する履物の研究より生まれ辿り着いた。
転ばナイス（コロバナイス）の機能を重視致し、リスクを限りなく０に近づけるために、従来、踵は唯サポートするだけで、体重を爪先に集注する形体を、ハイトゥに転換するため、大きな改善に至った。
【先行技術文献】
【特許文献】
【０００３】
【特許文献１】特開２０１５−４７４８９号公報
【特許文献２】特開２００７−１４３９３８号公報
【特許文献３】特開２００３−２３０４０１号公報
【特許文献４】実用新案登録３１５０６６３号公報
【特許文献５】実用新案登録３０９３８２６号公報
【非特許文献】
【０００４】
【非特許文献１】ＮＨＫガッテン−Ｈ３０．７．１８（水）放映より
【発明の概要】
【発明が解決しようとする課題】
【０００５】  それには、次のような問題点があった。
足の指は本来、反射神経等、繊細な機能を備えているが、過剰な負荷に耐え切れずに其の能力を発揮出来ない所以の回避と、正常化を目指すものである。
それは、履物の形状、浮き指が起因で躓き転倒による負傷や膝痛など、身体全体に及ぼす、マイナスの影響回避を目的とする。
本発明は、これらのような問題点を解決するためになされたものである。
【課題を解決するための手段】
【０００６】  ハイヒールと全く逆にハイトゥの踏み面勾配にして、さらに、爪先・指先部位の上げ裏面に限定して、斜面カットした形状で、障害物のハードリング達成と、浮き指、膝痛等の改善を特徴とする躓き転倒、膝痛等を予防するために底部を改良した履物。
【発明の効果】
【０００７】  人間の歩行の順序は、第一に踵を上げ、第二に爪先を上げ、上った踵と爪先が同時に前進と着地するサイクルで、歩行が成立するが、平坦化した都会型の平均的な歩行の高度は、１５ｍｍ程の低空飛行のために、爪先指先が上昇不足の下げたままの、低空飛行では、極僅かな突起や障害物にも激突して、転倒に至る。
ハイヒール型の履物の場合、爪先が水平に至る迄に、極僅かな時間の遅れにより、上昇不足が生じ易く、さらには、ブカブカな履物内の遊びがプラスして垂れ下がり、ハードルに激突する。
それは浮き指の影響が多大と考えられる。
本発明のハイトゥの場合は、当然、爪先、指先がハイトゥに設定してあるために、歩行のサイクルで、わずかな時間的な余裕が生じて、転倒回避に繋がると同時に、爪先指先に体重負荷負担が軽減して、本能的な反射神経面でも、鋭敏に活動して貢献すると考える。
さらには、浮き指や膝痛、頭痛、肩こり、腰痛などハイトゥ履物により多大な改善が見込まれる。
履物、ハイヒールの正反対ハイトゥ型「コロバナイス」は、スキーボード、スノーボード、舳先同様に足の爪先、指先部の上裏面に限定して、斜面カット致し、衝撃力の拡散でハードリング安全歩行、並びに浮き指や、生じる膝痛等の効果を特徴とする。
【図面の簡単な説明】
【０００８】
【図１】  本発明と従来の履物の説明図である。
【図２】  本発明の側面から見た説明図である。
【図３】  本発明の説明図である。
【発明を実施するための形態】
【０００９】  以下、本発明の実施の形態について説明する。
バレリーナの様な美しい足を横より眺めると、急なスベリ台の様に体重が爪先（１）に急降下して踵（２）は割箸１本で支える様な無理な姿に驚きを隠せない。
男性も踵高は、当然な今日、四六時中、背伸びして爪先（１）で立っている状況では、爪先（１）、指先も悲鳴を上げることは当然である。
ついには、指が変形して浮き指になる訳で踵（２）と爪先（１）の力配分を比較するとき、踵（２）が幾分高めなノーマルタイプも踵（２）が高いハイヒールも、足（５）の爪先（１）への負担は、一様に圧迫致し、指への自由な解放感が制約され、発明のコロバナイスとは比較できない体感誤差を感じる。
コロバナイス型式を履いた指先には、活動性が生きて、躓きの瞬間に反射神経の効果を発揮でき、それは、指先の自由を奪わないため、反射神経が発揮する所以で転倒防止の、一助を疑わない。
ハードルとの衝撃力は履物（３）の接触斜面（４）で拡散致し、分散吸収され、また、ハードルに対応して反射的な衝撃回避や反射神経の活躍で、転倒防止が高まる。
爪先（１）や指先への負荷回避が転倒防止上重要で、指に負荷を与えない開放がコロバナイス（ハードリング）の要素と認識する。
踵（２）より先の足（５）の平面に体重が分散するもので、関節より先の爪先（１）、指先に自由を与えることが、転倒防止上で極めて重要である。
コロバナイスは、それを考慮して転倒防止の補助的な働きを担う形態を考目的とする。
足（５）の爪先（１）や足（５）の指を束ねる様にした、極めて窮屈な状態に追い込まれた形で反射神経を期待することは真に無理難題で、本来の五体は自由解放にして機能が発揮できるものと、発明した形態がハイトゥ式なコロバナイスである。
【符号の説明】
【０００９】    １  爪先
２  踵
３  履物
４  ハードル接触斜面（上裏）
５  足
Ａ  Ｗ荷重
【図１】
2020062360.tif 000003
【図２】
2020062360.tif 000004
【図３】
2020062360.tif 000005